(57)【要約】【課題】本発明はロール巻きされた荷造り用ひもがからみ付くことなく、気軽に使用場所へ移動させて使用することができるとともに、荷造り用ひもの引き出しが容易で、楽に所定寸法で切断することができる、安価な荷造り用ひも収納容器を得るにある。【解決手段】ロール巻きされた荷造り用ひもを収納することができる上部開口の収納容器本体と、この収納容器本体の開口部を着脱可能な嵌合状態で覆うことができる開閉蓋と、この開閉蓋に形成された前記収納容器本体内に収納された荷造り用ひもを外部へ取り出すことができる荷造り用ひも取り出し孔と、前記開閉蓋に一体形成あるいは固定状態で取付けられた取っ手と、この取っ手にＶ字状の凹部を形成し、該凹部内に前記荷造り用ひも取り出し孔より引き出した荷造り用ひもを切断することができるように取付けられた切断刃とで荷造り用ひも収納容器を構成している。【選択図】　図１
2004090944.tif 000002
【特許請求の範囲】
【請求項１】
ロール巻きされた荷造り用ひもを収納することができる上部開口の収納容器本体と、この収納容器本体の開口部を着脱可能な嵌合状態で覆うことができる開閉蓋と、この開閉蓋に形成された前記収納容器本体内に収納された荷造り用ひもを外部へ取り出すことができる荷造り用ひも取り出し孔と、前記開閉蓋に一体形成、嵌合固定あるいは固定状態で取付けられた取っ手と、この取っ手にＶ字状の凹部を形成し、該凹部内に前記荷造り用ひも取り出し孔より引き出した荷造り用ひもを切断することができるように取付けられた切断刃とからなることを特徴とする荷造り用ひも収納容器。
【請求項２】
ロール巻きされた荷造り用ひもを収納することができる上部開口の円筒状の収納容器本体と、この収納容器本体の開口部を着脱可能な嵌合状態で覆うことができる開閉蓋と、この開閉蓋に形成された前記収納容器本体内に収納された荷造り用ひもを外部へ取り出すことができる荷造り用ひも取り出し孔と、前記開閉蓋に一体形成された、ほぼ中央部の上面にＶ字状の凹部を有する取っ手と、この取っ手のＶ字状の凹部内に前記荷造り用ひも取り出し孔より引き出した荷造り用ひもを切断することができるように取付けられた切断刃とからなることを特徴とする荷造り用ひも収納容器。
【発明の詳細な説明】
【０００１】
【発明の属する技術分野】
本発明はテープ状やひも状のロール巻きされた荷造り用ひもを収納することができる荷造り用ひも収納容器に関する。
【０００２】
【従来の技術】
従来の荷造り用ひも収納容器はスーパーマーケット等で使用するため、テーブル等に固定して使用するように構成されている。
【０００３】
【発明が解決しようとする課題】
従来の荷造り用ひも収納容器は設置型であるため、使用する場所へ気軽に移動させて使用することができず、使用場所が限られるという欠点があるとともに、設置型にしているため、高価であるという欠点があった。
【０００４】
本発明は以上のような従来の欠点に鑑み、ロール巻きされた荷造り用ひもがからみ付くことなく、気軽に使用場所へ移動させて使用することができるとともに、荷造り用ひもの引き出しが容易で、楽に所定寸法で切断することができる、安価な荷造り用ひも収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はロール巻きされた荷造り用ひもを収納することができる上部開口の収納容器本体と、この収納容器本体の開口部を着脱可能な嵌合状態で覆うことができる開閉蓋と、この開閉蓋に形成された前記収納容器本体内に収納された荷造り用ひもを外部へ取り出すことができる荷造り用ひも取り出し孔と、前記開閉蓋に一体形成、嵌合固定あるいは固定状態で取付けられた取っ手と、この取っ手にＶ字状の凹部を形成し、該凹部内に前記荷造り用ひも取り出し孔より引き出した荷造り用ひもを切断することができるように取付けられた切断刃とで荷造り用ひも収納容器を構成している。
【０００７】
【発明の実施の形態】
以下、図面に示す実施の形態により、本発明を詳細に説明する。
【０００８】
図１ないし図７に示す本発明の第１の実施の形態において、１は内部に収納したロール巻きされた荷造り用ひも２を所定長さ引き出し、切断して使用することができる本発明の荷造り用ひも収納容器で、この荷造り用ひも収納容器１は前記荷造り用ひも２を内部に収納することができる上部開口３の円筒状の合成樹脂材製の収納容器本体４と、この収納容器本体４の開口部３を従来のタッパーと同様に着脱可能な嵌合状態で覆うことができる合成樹脂材製の開閉蓋５と、この開閉蓋５に形成された、前記収納容器本体４内に収納された荷造り用ひも２を外部へ取り出すことができ、かつ外部へ取り出されたひもが収納容器本体４内に容易に戻らないような抵抗を付与することができる大きさの荷造り用ひも取り出し孔６と、前記開閉蓋５の中央部に開口部５ａを形成し、２つの型によって一体形成できるように形成された、ほぼ中央部の上面にＶ字状の凹部７を有する取っ手８と、この取っ手８のＶ字状の凹部７内に形成された切断刃収納溝９内に、前記荷造り用ひも取り出し孔６より引き出した荷造り用ひも２を切断することができるように着脱可能に取付けられた切断刃１０とで構成されている。
【０００９】
上記構成の荷造り用ひも収納容器１は開閉蓋５を外して、収納容器本体４内にロール巻きされた荷造り用ひも２を収納し、該荷造り用ひも２の取り出し端部を開閉蓋５の荷造り用ひも取り出し孔６を通過させて外方へ突出するように位置させた後、該開閉蓋５で収納容器本体４の開口部３を覆う。
この状態で荷造り用ひも２を使用する所定寸法荷造り用ひも取り出し孔６より引き出し、取っ手８のＶ字状の凹部７内に切断しようとする荷造り用ひも部位に引張り力を加えて押し込むことにより、切断刃１０によって切断される。
また、異なる使用場所で使用する場合には、取っ手８を持って容易に移動することができるとともに、該移動時にロール巻きされた荷造り用ひも２が不用意に引き出されたり、からみ付いたりするのを確実に阻止することができる。
【００１０】
【発明の異なる実施の形態】
次に、図８ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図８ないし図１０に示す本発明の第２の実施の形態において、前記本発明の第１の実施の形態と主に異なる点は、開閉蓋５に大小の荷造り用ひも取り出し孔６、６Ａを形成するとともに、取っ手８のＶ字状の凹部７内に上面がほぼ水平状態で左右方向に傾斜するように形成された切断刃収納溝９Ａ内に切断刃１０Ａを着脱可能に収納した点で、このように構成した荷造り用ひも収納容器１Ａにしても、前記本発明の第１の実施の形態と同様な作用効果が得られる。
【００１２】
図１１ないし図１３に示す本発明の第３の実施の形態において、前記本発明の第１の実施の形態と主に異なる点は、取っ手８と開閉蓋５とを別体に形成し、接着剤やビス等の固定手段、本発明の実施の形態ではビス１１、１１を用いて取っ手８と開閉蓋５とを固定した点で、このように構成した荷造り用ひも収納容器１Ｂにしても、前記本発明の第１の実施の形態と同様な作用効果が得られる。
【００１３】
図１４ないし図１６に示す本発明の第４の実施の形態において、前記本発明の第３の実施の形態と主に異なる点は、一端部寄りの部位にＶ字状の凹部７を形成した取っ手８Ａと、この取っ手８ＡのＶ字状の凹部７内に切断刃１０を取付けた点で、このように構成した荷造り用ひも収納容器１Ｃにしても、前記本発明の第３の実施の形態と同様な作用効果が得られる。
【００１４】
図１７ないし図１９に示す本発明の第５の実施の形態において、前記本発明の第３の実施の形態と主に異なる点は、両端部の下面に嵌合片８ａ、８ａを形成した取っ手８Ｂと、この取っ手８Ｂの嵌合片８ａ、８ａと嵌合固定される嵌合孔１２、１２を形成した開閉蓋５Ａを用いた点で、このように形成した取っ手８Ｂと開閉蓋５Ａとを用いて構成した荷造り用ひも収納容器１Ｄにしても、前記本発明の第３の実施の形態と同様な作用効果が得られるとともに、取っ手８Ｂと開閉蓋５Ａとを比較的容易に着脱することができ、切断刃１０が切れなくなると、新しい取っ手８Ｂと交換して使用することができる。
【００１５】
図２０ないし図２２に示す本発明の第６の実施の形態において、前記本発明の第２の実施の形態と主に異なる点は、開口部５ａと切欠部１３、１３を介して連通する荷造り用ひも取り出し孔６、６を形成した点で、このように構成した荷造り用ひも収納容器１Ｅにしても、前記本発明の第２の実施の形態と同様な作用効果が得られるとともに、荷造り用ひも２を容易に荷造り用ひも取り出し孔６、６に挿入することができる。
【００１６】
なお、前記本発明の各実施の形態では円筒状の収納容器本体４を用いるものについて説明したが、本発明はこれに限らず、角筒状の収納容器本体を用いてもよい。
また、取っ手８、８ＡのＶ字状の凹部７内に着脱可能に切断刃１０、１０Ａを取付けるものについて説明したが、本発明はこれに限らず、Ｖ字状の凹部７内に固定的に切断刃を取付けてもよい。
また、ほぼＬ字状の一端部だけを開閉蓋に固定する取っ手を用いてもよい。
【００１７】
【発明の効果】
以上の説明から明らかなように、本発明にあっては次に列挙する効果が得られる。
【００１８】
（１）ロール巻きされた荷造り用ひもを収納することができる上部開口の収納容器本体と、この収納容器本体の開口部を着脱可能な嵌合状態で覆うことができる開閉蓋と、この開閉蓋に形成された前記収納容器本体内に収納された荷造り用ひもを外部へ取り出すことができる荷造り用ひも取り出し孔と、前記開閉蓋に一体形成、嵌合固定あるいは固定状態で取付けられた取っ手と、この取っ手にＶ字状の凹部を形成し、該凹部内に前記荷造り用ひも取り出し孔より引き出した荷造り用ひもを切断することができるように取付けられた切断刃とで構成されているので、収納容器本体内に収納した荷造り用ひもを開閉蓋の荷造り用ひも取り出し孔より外方へ引き出しておくことにより、使用時には使用量だけ引き出し、切断刃によって切断して使用することができる。
したがって、ロール巻きされた荷造り用ひもがバラけたり、巻き付いたりするのを確実に防止することができる。
【００１９】
（２）前記（１）によって、開閉蓋の取っ手を持って使用場所へ移動させて使用することができる。
したがって、使用したい場所へ楽に移動させて気軽に使用することができる。
【００２０】
（３）前記（１）によって、取っ手にＶ字状の凹部を形成し、該凹部内に切断刃を取付けているので、安全に使用することができる。
【００２１】
（４）前記（１）によって、構造が簡単であるので、容易に安価に製造することができる。
【００２２】
（５）請求項２も前記（１）〜（４）と同様な効果が得られる。
【図面の簡単な説明】
【図１】本発明の第１の実施の形態の正面図。
【図２】本発明の第１の実施の形態の平面図。
【図３】図１の３−３線に沿う断面図。
【図４】本発明の第１の実施の形態の開閉蓋の底面図。
【図５】図４の５−５線に沿う断面図。
【図６】本発明の第１の実施の形態の使用状態の断面図。
【図７】本発明の第１の実施の形態の切断時の説明図。
【図８】本発明の第２の実施の形態の正面図。
【図９】本発明の第２の実施の形態の平面図。
【図１０】図８の１０−１０線に沿う断面図。
【図１１】本発明の第３の実施の形態の正面図。
【図１２】本発明の第３の実施の形態の平面図。
【図１３】本発明の第３の実施の形態の開閉蓋の説明図。
【図１４】本発明の第４の実施の形態の正面図。
【図１５】本発明の第４の実施の形態の平面図。
【図１６】本発明の第４の実施の形態の開閉蓋の説明図。
【図１７】本発明の第５の実施の形態の正面図。
【図１８】本発明の第５の実施の形態の平面図。
【図１９】本発明の第５の実施の形態の開閉蓋の説明図。
【図２０】本発明の第６の実施の形態の正面図。
【図２１】本発明の第６の実施の形態の平面図。
【図２２】本発明の第６の実施の形態の荷造り用ひもの引き出し状態の説明図。
【符号の説明】
１、１Ａ、１Ｂ〜１Ｅ：荷造り用ひも収納容器、
２：荷造り用ひも、　　　３：開口部、
４：収納容器本体、　　　５、５Ａ：開閉蓋、
５ａ：開口部、
６、６Ａ：荷造り用ひも取り出し孔、
７：Ｖ字状の凹部、　　　８、８Ａ、８Ｂ：取っ手、
８ａ：嵌合片、
９、９Ａ：切断刃収納溝、１０、１０Ａ：切断刃、
１１：ビス、　　　　　　１２：嵌合孔、
１３：切欠部。
【図１】
2004090944.tif 000003
【図２】
2004090944.tif 000004
【図３】
2004090944.tif 000005
【図４】
2004090944.tif 000006
【図５】
2004090944.tif 000007
【図６】
2004090944.tif 000008
【図７】
2004090944.tif 000009
【図８】
2004090944.tif 000010
【図９】
2004090944.tif 000011
【図１０】
2004090944.tif 000012
【図１１】
2004090944.tif 000013
【図１２】
2004090944.tif 000014
【図１３】
2004090944.tif 000015
【図１４】
2004090944.tif 000016
【図１５】
2004090944.tif 000017
【図１６】
2004090944.tif 000018
【図１７】
2004090944.tif 000019
【図１８】
2004090944.tif 000020
【図１９】
2004090944.tif 000021
【図２０】
2004090944.tif 000022
【図２１】
2004090944.tif 000023
【図２２】
2004090944.tif 000024